(57)【要約】【課題】移動体通信において、アップリンク通信の通信品質を利用者に報知することが可能な小型基地局、及びプログラムを提供する。【解決手段】小型基地局は、移動端末２００との間で無線通信を行うフェムトセル基地局１００であって、移動端末２００からフェムトセル基地局１００へのアップリンク通信における通信品質を測定する測定部１２０と、測定部１２０によって測定された前記通信品質を報知する品質報知部１３０と、を備える。【選択図】図１
2011101286.tif 000002
【特許請求の範囲】
【請求項１】
移動端末との間で無線通信を行う小型基地局であって、
前記移動端末から前記小型基地局への通信における通信品質を測定する測定手段と、
前記測定手段によって測定された前記通信品質を報知する品質報知手段と、
を備える、小型基地局。
【請求項２】
前記小型基地局は、前記移動端末から送信された電波と、他の基地局と通信している他の移動端末から送信された電波とが干渉を生じ得る位置に配置されている、請求項１に記載の小型基地局。
【請求項３】
前記測定手段によって測定された前記通信品質が所定レベル以下である場合に、当該通信品質を改善する方法を報知する改善方法報知手段をさらに備える、請求項１又は２に記載の小型基地局。
【請求項４】
前記小型基地局は複数の前記移動端末と通信可能であり、
前記品質報知手段は、前記複数の前記移動端末の各々に対応させて前記通信品質を報知する、請求項１から３のいずれか一つに記載の小型基地局。
【請求項５】
前記品質報知手段は、前記小型基地局上において前記通信品質を報知する、請求項１から４のいずれか一つに記載の小型基地局。
【請求項６】
前記品質報知手段は、前記移動端末上において前記通信品質を報知する、請求項１から４のいずれか一つに記載の小型基地局。
【請求項７】
移動端末との間で無線通信を行う小型基地局に搭載されるコンピュータを、
前記移動端末から前記小型基地局への通信における通信品質を測定する測定手段と、
前記測定手段によって測定された前記通信品質を報知する品質報知手段と、
として機能させる、プログラム。
【発明の詳細な説明】
【技術分野】
【０００１】
本発明は、移動体通信における小型基地局、及びプログラムに関する。
【背景技術】
【０００２】
近年の無線通信技術の発達により、携帯電話通信網などの無線通信ネットワークが一般に普及するようになった。しかし、こうした無線通信には、無線電波の受信状態により無線通信回線が維持できなかったり、通信品質が劣化したりするという問題点があった。そこで、電波不感エリアや、特に通信品質を確保したい場所に、個別に小型基地局を設置する通信システムの構築が検討されている。
【０００３】
この通信システムにおいては、半径数十メートル程度の通話エリアを持つ小型基地局（以下、「フェムトセル基地局」と称す。）を設置し、携帯電話端末と無線通信を行う。当該通信は、フェムトセル基地局が接続する有線通信回線を用いて、携帯電話のコアネットワークに接続されるので、当該携帯電話端末は、フェムトセル基地局を介して携帯電話通信網と通信することが可能となる。
【０００４】
下記特許文献１には、光通信ネットワークに接続される無線基地局を用いた通信システムが開示されている。この通信システムを用いることで、加入者宅内で使用する携帯電話からの信号は、無線基地局から光通信ネットワークを介してＩＰ網、一般電話交換網、又は移動通信交換網等の各種ネットワークに接続することができる。
【先行技術文献】
【特許文献】
【０００５】
【特許文献１】特開２００４−１５１０３号公報
【発明の概要】
【発明が解決しようとする課題】
【０００６】
携帯電話端末などの移動端末を使った移動体通信では、基地局から移動端末へ通信が行われるダウンリンク通信の通信品質を、当該移動端末において利用者に通知することが行われている。しかし、この通知では、移動端末から基地局へ通信が行われるアップリンク通信の通信品質を利用者へ通知することは行われていなかった。
【０００７】
従来のマクロセル基地局を用いた通信では、ダウンリンク通信の通信品質を表示すれば、ダウンリンクの品質が悪い時はアップリンクの品質が悪いことが多いため、アップリンク通信の通信品質を別途表示する必要はなかった。しかし、フェムトセル基地局を用いた通信では、ダウンリンク通信の通信品質とアップリンク通信の通信品質とは大きく異なる場合があるため、ダウンリンク通信の通信品質を通知するだけでは、利用者はアップリンク通信の通信品質を知ることはできないという問題点があった。
【０００８】
本発明は、かかる事情に鑑みて成されたものであり、移動体通信において、アップリンク通信の通信品質を利用者に報知することが可能な小型基地局、及びプログラムを提供することを目的とする。
【課題を解決するための手段】
【０００９】
本発明の第１の態様に係る小型基地局は、移動端末との間で無線通信を行う小型基地局であって、前記移動端末から前記小型基地局への通信における通信品質を測定する測定手段と、前記測定手段によって測定された前記通信品質を報知する品質報知手段と、を備え
ることを特徴としている。
【００１０】
第１の態様に係る小型基地局によれば、測定手段は移動端末から小型基地局への通信における通信品質を測定し、品質報知手段は当該測定により得られた通信品質の報知を行う。したがって、本発明の第１の態様に係る小型基地局を用いれば、移動端末から小型基地局への通信における通信品質を知ることができ、移動端末を使用する位置を変えるなどの通信品質を向上させる対策をとることが可能となる。
【００１１】
本発明の第２の態様に係る小型基地局は、第１の態様に係る小型基地局において特に、前記小型基地局は、前記移動端末から送信された電波と、他の基地局と通信している他の移動端末から送信された電波とが干渉を生じ得る位置に配置されていることを特徴としている。
【００１２】
第２の態様に係る小型基地局によれば、他の基地局と通信を行っている他の移動端末が送信する電波と、第２の態様に係る小型基地局と通信をしている移動端末から送信された電波とが干渉を生じ、移動端末から第２の態様に係る小型基地局への通信における通信品質が悪化した場合、当該通信品質を報知することで、利用者に対して通信品質の悪化を知らせることができる。したがって、第２の態様に係る小型基地局を用いれば、移動端末を使用する位置を変えるなどの通信品質を向上させる対策をとることが特に効果的な状況において、当該対策の方法を利用者に報知することが可能であるので、利用者にとって利便性のよい無線通信を提供しやすくなる。
【００１３】
本発明の第３の態様に係る小型基地局は、第１又は第２の態様に係る小型基地局において特に、前記測定手段によって測定された前記通信品質が所定レベル以下である場合に、当該通信品質を改善する方法を報知する改善方法報知手段をさらに備えることを特徴としている。
【００１４】
第３の態様に係る小型基地局によれば、測定手段によって測定された通信品質が所定レベル以下である場合、改善方法報知手段は、当該通信品質を改善する方法を報知する。したがって、第３の態様に係る小型基地局の利用者は、移動端末から小型基地局への通信における通信品質を知ることができるだけでなく、通信品質が悪くなった場合に当該通信品質を改善する方法を知ることができ、その改善方法を行うことで通信品質の改善された通信を利用することが可能となる。
【００１５】
本発明の第４の態様に係る小型基地局は、第１から第３のいずれか一つの態様に係る小型基地局において特に、前記小型基地局は複数の前記移動端末と通信可能であり、前記品質報知手段は、前記複数の前記移動端末の各々に対応させて前記通信品質を報知することを特徴としている。
【００１６】
第４の態様に係る小型基地局によれば、品質報知手段は、小型基地局が通信可能な複数の移動端末から小型基地局へのそれぞれの通信における通信品質を、それぞれ複数の移動端末の各々に対応させて報知することが可能となる。したがって、小型基地局に対し、複数の移動端末を用いて通信を行っていても、移動端末毎の通信品質を知ることができるので、移動端末を使用する位置を変えるなどの通信品質を向上させる対策を、移動端末毎にとることが可能となる。
【００１７】
本発明の第５の態様に係る小型基地局は、第１から第４のいずれか一つの態様に係る小型基地局において特に、前記品質報知手段は、前記小型基地局上において前記通信品質を報知することを特徴としている。
【００１８】
第５の態様に係る小型基地局によれば、品質報知手段は、移動端末から小型基地局への通信の通信品質を、当該小型基地局上において報知する。したがって、第５の態様に係る小型基地局の利用者は、小型基地局からの当該通信品質の報知を受けることで、通信を行っている移動端末を使用する位置を変えるなどの通信品質を向上させる対策をとることが可能となる。
【００１９】
本発明の第６の態様に係る小型基地局は、第１から第４のいずれか一つの態様に係る小型基地局において特に、前記品質報知手段は、前記移動端末上において前記通信品質を報知することを特徴としている。
【００２０】
第６の態様に係る小型基地局によれば、品質報知手段は、移動端末から小型基地局への通信の通信品質を、通信を行っている移動端末上において報知する。したがって、第６の態様に係る小型基地局の利用者は、通信を行っている移動端末から当該通信品質の報知を受けることができるので、利用中の通信の通信品質を利用している移動端末で知ることができ、通信を行っている移動端末を使用する位置を変えるなどの通信品質を向上させる対策をとることが可能となる。
【００２１】
本発明の第７の態様に係るプログラムは、移動端末との間で無線通信を行う小型基地局に搭載されるコンピュータを、前記移動端末から前記小型基地局への通信における通信品質を測定する測定手段と、前記測定手段によって測定された前記通信品質を報知する品質報知手段と、として機能させることを特徴としている。
【００２２】
第７の態様に係るプログラムによれば、移動端末との間で無線通信を行う小型基地局に搭載されるコンピュータに実行させることで、移動端末から小型基地局への通信における通信品質を測定する測定手段と、測定手段によって測定された通信品質を報知する品質報知手段と、として機能させることができる。したがって、本発明の第７の態様に係るプログラムを搭載したコンピュータを用いれば、移動端末から小型基地局への通信における通信品質を知ることができ、移動端末を使用する位置を変えるなどの通信品質を向上させる対策をとることが可能となる。
【発明の効果】
【００２３】
本発明によれば、移動体通信におけるアップリンク通信の通信品質を、利用者に報知することが可能となる。
【図面の簡単な説明】
【００２４】
【図１】本発明の実施の形態に係るフェムトセル基地局を用いる通信システムの構成を概略的に示す図である。
【図２】本発明の実施の形態に係るフェムトセル基地局の構成を概略的に示したブロック図である。
【図３】移動端末の構成を概略的に示したブロック図である。
【図４】フェムトセル基地局がディスプレイを用いて文章で通信品質を報知する一例である。
【図５】フェムトセル基地局がディスプレイを用いて図形で通信品質を報知する一例である。
【図６】フェムトセル基地局がＬＥＤを用いて通信品質を報知する一例である。
【図７】移動端末がディスプレイを用いて通信品質を報知する一例である。
【図８】移動端末がＬＥＤを用いて通信品質を報知する一例である。
【図９】フェムトセル基地局がディスプレイを用いて通信品質を改善する方法を報知する一例である。
【図１０】移動端末がディスプレイを用いて通信品質を改善する方法を報知する一例である。
【図１１】移動端末と他の移動端末の電波が干渉を起こす場合の一例を概略的に示したものである。
【図１２】フェムトセル基地局が汎用的なコンピュータであった場合の構成を概略的に示した図である。
【発明を実施するための形態】
【００２５】
以下、本発明の実施の形態について、図面を用いて説明する。なお、異なる図面において同一の符号を付した要素は、同一または相応する要素を示すものとする。
【００２６】
本発明の実施の形態に係るフェムトセル基地局１００は、移動体通信網における通信システム１に用いられる小型基地局である。図１に、本発明の実施の形態に係るフェムトセル基地局を有する通信システム１の構成を概略的に示す図を示す。通信システム１は、コアネットワーク５、ＩＰネットワーク６、小型基地局であるフェムトセル基地局１００、及び移動端末２００（２００Ａ〜２００Ｃ）を有する。
【００２７】
さらに、図２は、本発明の実施の形態に係るフェムトセル基地局１００の構成を概略的に示したブロック図である。フェムトセル基地局１００は、送受信部１１０、アンテナ１１５、測定手段である測定部１２０、判定部１２５、品質報知手段である品質報知部１３０、改善方法報知手段である改善方法報知部１４０、及び出力部１５０を備える。さらに、出力部１５０は、ディスプレイ１５１、スピーカー１５２、及びＬＥＤ（Light Emitting Diode）１５３を有する。
【００２８】
また、図３は、移動端末２００の構成を概略的に示したブロック図である。移動端末２００は、送受信部２１０、アンテナ２１５、及び出力部２５０を備える。さらに、出力部２５０は、ディスプレイ２５１、スピーカー２５２、ＬＥＤ２５３、及びバイブレータ２５４を有している。
【００２９】
これらの構成を持つ通信システム１では、移動端末２００とフェムトセル基地局１００とが、無線電波Ｒ１を用いた非対称通信にて通信を行い、さらにフェムトセル基地局１００は、通信信号Ｓ１０を用いて固定通信網であるＩＰネットワーク６を介して、移動体通信網であるコアネットワーク５との通信を行う。よって、移動端末２００は、フェムトセル基地局１００を介して移動体通信網と通信を行うことができ、移動端末２００は移動体通信網の端末として利用されるものである。
【００３０】
次に、本発明の実施の形態に係るフェムトセル基地局１００が、移動端末２００からフェムトセル基地局１００への通信であるアップリンク通信の通信品質の報知を、当該フェムトセル基地局１００上で行う動作について、説明を行う。まず、移動端末２００の送受信部２１０がアンテナ２１５を用いて送信した無線通信信号を、フェムトセル基地局１００の送受信部１１０がアンテナ１１５を用いて受信したとき、送受信部１１０は、この移動端末２００からの無線通信のアップリンク通信に関する通信情報信号Ｓ１１を測定部１２０に出力する。この通信情報信号Ｓ１１には、例えば、当該無線通信におけるＲＳＳＩ（Received Signal Strength Indication）や、ＳＩＮＲ（Signal to Interference and Noise Ratio）などの無線通信の品質を評価するための情報が含まれている。
【００３１】
そして、測定部１２０は受け取った通信情報信号Ｓ１１に基づいて、当該アップリンク通信の通信品質を測定する。この測定部１２０が行う通信品質の測定は、通信情報信号Ｓ１１に含まれる、移動端末２００からフェムトセル基地局１００へと受信された無線電波信号のＲＳＳＩや、ＳＩＮＲなどを基に、通信品質を測定してもよい。さらに、測定部１２０は、測定した通信品質を通信品質信号Ｓ１２として、品質報知部１３０に出力する。
また、アップリンク通信の通信品質の測定は、フェムトセル基地局１００を用いて通信を行う移動端末２００が複数ある場合、複数ある移動端末２００それぞれとの間のアップリンク通信の通信品質を別々に測定するものである。
【００３２】
測定部１２０からの通信品質信号Ｓ１２を受け取った品質報知部１３０は、通信品質信号Ｓ１２に含まれる移動端末２００からフェムトセル基地局１００への通信の通信品質の情報を基に、出力部１５０に品質報知命令信号Ｓ１３を出力する。この品質報知命令信号Ｓ１３を受け取った出力部１５０は、利用者に対して、移動端末２００からフェムトセル基地局１００へのアップリンク通信の通信品質を報知する。またこのとき、フェムトセル基地局１００を使用する移動端末２００が複数ある場合、複数ある移動端末２００それぞれのアップリンク通信の通信品質を個別に報知してもよい。（ここで、個々に通信品質の報知が行われる移動端末２００において、移動端末２００Ａが端末１、移動端末２００Ｂが端末２、及び移動端末２００Ｃが端末３であるとする）
【００３３】
フェムトセル基地局１００の出力部１５０の行う、利用者に対するアップリンク通信の通信品質の報知は、ディスプレイ等を用いた文字や図形などによる表示であってよい。図４は、フェムトセル基地局１００がディスプレイ１５１を用いて当該アップリンク通信の通信品質を文章で報知する一例である。図４では、フェムトセル基地局１００と通信をする端末１及び端末２の通信品質について文字による報知が行われている。さらに、図５は、フェムトセル基地局１００がディスプレイ１５１を用いて当該アップリンク通信の通信品質を図形で報知する一例である。図５では、フェムトセル基地局１００と通信をする端末１、端末２、及び端末３の通信品質について、携帯電話等で一般的に用いられるアンテナマークによって、アップリンク通信の通信品質を表示する場合を例示している。図５で例示したアンテナマークは、アンテナマークの図形中に表示された棒の数によって通信品質を三段階で表すものであり、図５において、ディスプレイ１５１に表示させている例では、端末１の通信品質は３段階中の３、端末２の通信品質は３段階の１、端末３の通信品質は３段階中の３となっており、利用者に対して、端末２の通信品質が悪いことを報知している。
【００３４】
また、フェムトセル基地局１００の出力部１５０の行う、利用者に対するアップリンク通信の通信品質の報知は、スピーカー等を用いた音による報知であってよい。その場合、出力部１５０はスピーカー１５２を用いて、当該アップリンク通信の通信品質を音によって利用者に報知する。このときの音による報知は、「端末１の電波状況が悪化しています」や「端末１の通信品質は良です」などといった音声案内でなされてもよい。
【００３５】
さらに、スピーカー１５２が行う、音によるアップリンク通信の通信品質の報知は音声案内に限らず、ビープ音のような発振音でなされてもよい。この発振音による報知においては、発振音の音高や発振音が鳴る周期などにより差別化をすることで、複数ある移動端末２００のどの端末からのアップリンク通信であるかや、その通信品質の良し悪しを区別して報知がなされてもよい。例えば、発振音の音高が高いときは、端末１の通信品質を表し、発振音の音高が低いときは、端末２の通信品質を表す。さらに、発振音が鳴る周期が長いときは、当該端末とのアップリンク通信の通信音質は良く、発振音が鳴る周期が短いときは、当該端末とのアップリンク通信の通信音質が悪いというような、区別がされてよい。
【００３６】
また、フェムトセル基地局１００の出力部１５０の行う、利用者に対するアップリンク通信の通信品質の報知は、ＬＥＤなどによるランプ表示であってもよい。図６は、フェムトセル基地局１００がＬＥＤ１５３を用いて当該アップリンク通信の通信品質を報知する一例である。図６では、フェムトセル基地局１００と通信をする移動端末２００（端末１、端末２、及び端末３）それぞれに対応したＬＥＤを用いて、それぞれのＬＥＤの点灯の
仕方により、利用者に対して各移動端末２００からのアップリンク通信の通信品質が報知される。
【００３７】
なお、フェムトセル基地局１００の出力部１５０の行う、利用者に対するアップリンク通信の通信品質の報知は、例示したものに限らず、移動端末２００からフェムトセル基地局１００へのアップリンク通信の通信品質が悪化していることを、利用者が認識できるものであればよい。
【００３８】
次に、本発明の実施の形態に係るフェムトセル基地局１００が、アップリンク通信の通信品質の報知を、移動端末２００上で行う動作について、説明を行う。測定部１２０からの通信品質信号Ｓ１２を受け取った品質報知部１３０は、さらに、送受信部１１０にも品質報知命令信号Ｓ１３を出力する。品質報知部１３０からの品質報知命令信号Ｓ１３を受け取った送受信部１１０は、無線通信により、この品質報知命令を移動端末２００へと送信する。この品質報知命令の送信は、フェムトセル基地局１００を用いて通信を行う移動端末２００が複数ある場合、複数ある移動端末２００それぞれに送信を行ってよい。
【００３９】
次に、移動端末２００の送受信部２１０は、アンテナ２１５を用いて当該品質報知命令を受信し、出力部２５０に品質報知命令信号Ｓ２１を出力する。この品質報知命令信号Ｓ２１を受け取った出力部２５０は、利用者に対して、移動端末２００からフェムトセル基地局１００へのアップリンク通信の通信品質を報知する。
【００４０】
移動端末２００の出力部２５０が行う、利用者に対するアップリンク通信の通信品質の報知は、ディスプレイ等を用いた文字や図形などによる表示であってよい。図７は、移動端末２００がディスプレイ２５１を用いて、当該移動端末２００からフェムトセル基地局１００へのアップリンク通信の通信品質を報知する一例である。図７では、携帯電話等で一般的に用いられるアンテナマークによって、ダウンリンク通信の通信品質と共に、アップリンク通信の通信品質を表示する場合を例示している。図７で例示したアンテナマークは、アンテナマークの図形中に表示された棒の数によって通信品質を三段階で表すものであり、図７において、ディスプレイ２５１に表示されている例では、移動端末２００のダウンリンクの通信品質は３段階中の３、アップリンクの通信品質は３段階の２となっており、利用者に対して、移動端末２００のアップリンクの通信品質がやや悪いことを報知している。
【００４１】
また、移動端末２００の出力部２５０が行う、利用者に対するアップリンク通信の通信品質の報知は、スピーカー等を用いた音による報知であってよい。その場合、出力部２５０はスピーカー２５２を用いて、当該移動端末２００からフェムトセル基地局１００へのアップリンク通信の通信品質を音によって利用者に報知する。このときの音による報知は、「電波状況が悪化しています」や「通信品質は良です」などといった音声案内がされてもよい。さらに、音によるアップリンク通信の通信品質の報知は、音声案内に限らず、ビープ音のような発振音でなされてもよい。この場合、発振音の音高や、音が鳴る周期などにより通信品質の良し悪しを区別して報知してもよい。
【００４２】
また、移動端末２００の出力部２５０が行う、利用者に対するアップリンク通信の通信品質の報知は、ＬＥＤなどによるランプ表示であってもよい。図８は、移動端末２００がＬＥＤ２５３を用いて当該アップリンク通信の通信品質を報知する一例である。図８による例では、ＬＥＤ２５３の点灯の仕方により、利用者に対してフェムトセル基地局１００へのアップリンク通信の通信品質が報知される。
【００４３】
また、移動端末２００の出力部２５０が行う、利用者に対するアップリンク通信の通信品質の報知は、バイブレータ等を使った振動によるものであってもよい。その場合、出力
部２５０はバイブレータ２５４を用い、当該移動端末２００からフェムトセル基地局１００へのアップリンク通信の通信品質を、移動端末２００を振動させて利用者に報知する。このときの振動による報知においては、振動の大きさや、振動の周波数などにより通信品質の良し悪しを区別して報知してもよい。
【００４４】
なお、移動端末２００の出力部２５０が行う、利用者に対するアップリンク通信の通信品質の報知は、例示したものに限らず、当該移動端末２００からフェムトセル基地局１００へのアップリンク通信の通信品質が悪化していることを、利用者が認識できるものであればよい。また、移動端末２００の出力部２５０が行うアップリンク通信の通信品質の報知は、当該移動端末２００の通信品質だけであってもよいし、同じフェムトセル基地局１００を利用する別の移動端末２００の通信品質を報知してもよい。
【００４５】
次に、本発明の実施の形態に係るフェムトセル基地局１００が、アップリンク通信の通信品質を改善する方法の報知を、フェムトセル基地局１００上で行う動作について、説明を行う。測定部１２０が行ったアップリンク通信における通信品質の測定結果は、通信品質信号Ｓ１４として判定部１２５にも出力される。通信品質信号Ｓ１４を受け取った判定部１２５は、通信品質信号Ｓ１４に含まれる通信品質情報に基づいて、通信品質の改善方法の報知を行うか否かの判定を行う。この判定は、例えば、通信品質の測定に用いられたＲＳＳＩやＳＩＮＲといった、移動端末２００からフェムトセル基地局１００へのアップリンク通信における通信品質に関連する値と、所定レベルである所定の閾値とを比較し、通信品質に関連する値が所定の閾値を超えていれば、通信品質の改善方法の報知を行わない旨の判定を行い、通信品質に関連する値が所定の閾値以下であれば、通信品質の改善方法の報知を行う旨の判定を行う。そして、判定部１２５は、当該判定結果の情報を含む判定結果信号Ｓ１５を、改善方法報知部１４０に対して出力する。また、この判定では、フェムトセル基地局１００を利用する移動端末２００が複数あった場合、移動端末２００それぞれの通信品質について判定を行ってよい。この場合の判定結果は、どの移動端末２００の判定であるかを区別して出力される。
【００４６】
次に、判定部１２５からの判定結果信号Ｓ１５を受け取った改善方法報知部１４０は、判定結果信号Ｓ１５に含まれる判定結果が、報知を行う旨の判定であった場合、出力部１５０に対し、改善方法報知命令信号Ｓ１６を出力する。この改善方法報知命令信号Ｓ１６を受け取った出力部１５０は、利用者に対して、移動端末２００からフェムトセル基地局１００へのアップリンク通信の通信品質を改善する方法を報知する。
【００４７】
フェムトセル基地局１００の出力部１５０が行う、利用者に対するアップリンク通信の通信品質を改善する方法の報知は、ディスプレイ等を用いた文字や図形などによる表示であってよい。図９は、フェムトセル基地局１００がディスプレイ１５１を用いて当該アップリンク通信の通信品質を改善する方法を報知する一例である。図９では、ディスプレイ１５１において、アップリンク通信の通信品質が悪かった端末１について、通信品質を改善する方法が文字によって表示されている。
【００４８】
また、フェムトセル基地局１００の出力部１５０が行う、利用者に対するアップリンク通信の通信品質を改善する方法の報知は、スピーカー等を用いた音声案内であってよい。その場合、出力部１５０はスピーカー１５２を用いて、当該アップリンク通信の通信品質を改善する方法を音声にて利用者に報知する。このときの音声による報知においては、「端末１を利用する場所を変えてください」や「基地局に近づいて、端末１を利用してください」などといった音声案内がされてよい。
【００４９】
これらの、フェムトセル基地局１００の出力部１５０にて行われる、利用者に対するアップリンク通信の通信品質を改善する方法の報知は、「移動端末を利用する場所を変える
」、「基地局と移動端末との間にある障害物を取り除く」、及び「基地局の設置場所を変える」などの、移動端末２００とフェムトセル基地局１００とが行う無線通信の通信品質が改善すると考えられる方法の案内であればよい。
【００５０】
なお、フェムトセル基地局１００の出力部１５０が行う、利用者に対するアップリンク通信の通信品質を改善する方法の報知は、例示したものに限らず、移動端末２００からフェムトセル基地局１００へのアップリンク通信の通信品質が改善する方法が、利用者に報知できるものであればよい。
【００５１】
次に、本発明の実施の形態に係るフェムトセル基地局１００が、アップリンク通信の通信品質を改善する方法の報知を、移動端末２００上で行う動作について、説明を行う。改善方法報知部１４０が出力する改善方法報知命令信号Ｓ１６は、送受信部１１０にも出力される。この改善方法報知命令信号Ｓ１６を受け取った送受信部１１０は、無線通信により、改善方法報知命令を移動端末２００へと送信する。この改善方法報知命令の送信は、フェムトセル基地局１００を用いて通信を行う移動端末２００が複数ある場合、複数ある移動端末２００それぞれに送信を行ってよい。
【００５２】
次に、移動端末２００の送受信部２１０は、アンテナ２１５を用いて当該改善方法報知命令を受信し、出力部２５０に改善方法報知命令信号Ｓ２２を出力する。この改善方法報知命令信号Ｓ２２を受け取った出力部２５０は、利用者に対して、移動端末２００からフェムトセル基地局１００へのアップリンク通信の通信品質を改善する方法を報知する。
【００５３】
移動端末２００の出力部２５０が行う、利用者に対するアップリンク通信の通信品質を改善する方法の報知は、ディスプレイ等を用いた文字や図形などによる表示であってよい。図１０は、移動端末２００がディスプレイ２５１を用いて当該移動端末２００からフェムトセル基地局１００へのアップリンク通信の通信品質を改善する方法を報知する一例である。
【００５４】
また、移動端末２００の出力部２５０が行う、利用者に対するアップリンク通信の通信品質を改善する方法の報知は、スピーカー等を用いた音声案内であってよい。その場合、出力部２５０はスピーカー２５２を用いて、当該移動端末２００からフェムトセル基地局１００へのアップリンク通信の通信品質を改善する方法を音声にて利用者に報知する。このときの音声による報知においては、「移動端末を利用する場所を変えてください」や「基地局に近づいて、移動端末を利用してください」などといった音声案内がされてよい。
【００５５】
これらの、移動端末２００の出力部２５０にて行われる、利用者に対するアップリンク通信の通信品質を改善する方法の報知は、「移動端末を利用する場所を変える」、「基地局との間にある障害物を取り除く」、及び「基地局の設置場所を変える」などの、移動端末２００とフェムトセル基地局１００とが行う無線通信の通信品質が改善すると考えられる方法の案内であればよい。
【００５６】
なお、移動端末２００の出力部２５０の行う、利用者に対するアップリンク通信の通信品質を改善する方法の報知は、例示したものに限らず、移動端末２００からフェムトセル基地局１００へのアップリンク通信の通信品質が改善する方法が、利用者に報知できるものであればよい。また、移動端末２００の出力部２５０が行うアップリンク通信の通信品質を改善する方法の報知は、当該移動端末２００の通信品質を改善する方法だけであってもよいし、同じフェムトセル基地局１００を利用する別の移動端末２００の通信品質を改善する方法を報知してもよい。
【００５７】
以上のように、本発明の実施の形態に係るフェムトセル基地局１００によれば、移動端
末２００からフェムトセル基地局１００への無線通信におけるアップリンク通信の通信品質を、利用者に対して報知することができる。また、アップリンク通信の通信品質が悪い場合には、アップリンク通信の通信品質を改善するための方法も、利用者に対して報知するので、利用者は無線通信技術の知識がなくても当該改善方法の報知に従うことで、移動端末２００からフェムトセル基地局１００への無線通信におけるアップリンク通信の通信品質を改善することができる。したがって、移動端末２００の利用者は、通信品質の改善した利便性のよい無線通信を行うことが可能である。
【００５８】
また、本発明の実施の形態に係るフェムトセル基地局１００を利用する移動端末２００は、他の基地局を利用する他の移動端末と電波干渉が起きる場所での使用が想定されている。図１１は、移動端末２００と移動端末４００との電波が干渉を起こす場合の一例を概略的に示したものである。図１１において、他の基地局３００と通信を行う他の移動端末４００が、移動端末２００の周囲に存在する場合、移動端末２００とフェムトセル基地局１００との通信電波は、他の基地局３００と他の移動端末４００との通信電波と電波干渉を起こし、移動端末２００とフェムトセル基地局１００との通信における通信品質が特に悪化するおそれがある。そういった場合、本発明の実施の形態に係るフェムトセル基地局１００が、利用者に対してアップリンク通信の通信品質を報知することで、利用者は現在の通信品質を把握することができ、さらに、通信品質が悪化した場合は、本発明の実施の形態に係るフェムトセル基地局１００が通信品質の改善方法を報知するので、利用者は容易に通信品質の改善を行うことが可能である。なお、ここでいう他の基地局３００とは、マクロセル基地局であってもよいし、フェムトセル基地局であってもよい。
【００５９】
なお、本発明の実施の形態に係るフェムトセル基地局１００は、汎用的なコンピュータであってもよい。図１２は、フェムトセル基地局１００が汎用的なコンピュータであった場合の構成を概略的に示した図である。フェムトセル基地局１００は、ＣＰＵ（Central Processing Unit）１６０及びメモリ１７０を備え、メモリ１７０に保持されているプログラム１７５をＣＰＵ１６０が読み込み実行することで、図２で示したようなフェムトセル基地局１００の諸機能を実現することができる。
【００６０】
また、本発明の実施の形態では、小型基地局がフェムトセル基地局である場合を例示して説明したが、本発明においては、小型基地局はフェムトセル基地局に限るものではない。また、報知を行うアップリンク通信の通信品質は、アップリンク通信単独での報知だけではなく、非対称なアップリンク通信とダウンリンク通信との通信品質を総合的に評価し、ひとまとめにした通信品質を報知してもよい。さらに、小型基地局と通信を行う移動端末が三つの場合を例示したが、本発明で小型基地局を利用する移動端末の数を限定するものではない。
【００６１】
なお、今回開示された実施の形態は、すべての点で例示であり制限的なものではないと考えられるべきである。本発明の範囲は、上記した意味ではなく、特許請求の範囲にとって示され、特許請求の範囲と均等の意味及び範囲内でのすべての変更が含まれることが意図される。
【符号の説明】
【００６２】
１  通信システム
５  コアネットワーク
６  ＩＰネットワーク
１００  フェムトセル基地局
１２０  測定部
１３０  品質報知部
１４０  改善方法報知部
１６０  ＣＰＵ
１７０  メモリ
１７５  プログラム
２００  移動端末
【図１】
2011101286.tif 000003
【図２】
2011101286.tif 000004
【図３】
2011101286.tif 000005
【図４】
2011101286.tif 000006
【図５】
2011101286.tif 000007
【図６】
2011101286.tif 000008
【図７】
2011101286.tif 000009
【図８】
2011101286.tif 000010
【図９】
2011101286.tif 000011
【図１０】
2011101286.tif 000012
【図１１】
2011101286.tif 000013
【図１２】
2011101286.tif 000014